(57)【要約】【課題】  リング状の圧粉成形体の内周及び外周に形成されているバリの除去率を向上させることが可能なバリ取り装置を提供すること。【解決手段】  このバリ取り装置１は、圧粉成形体のバリを除去するためのバリ取り装置であって、圧粉成形体Ｗを誘導する誘導路２０と、誘導路２０を振動させて圧粉成形体Ｗを搬送するパーツフィーダ１０と、を備え、誘導路２０の底部２０１は波状の研磨面を形成しており、誘導路２０の延びる方向とパーツフィーダ１０が誘導路２０を振動させる方向とが交差する部分を有している。【選択図】  図１
2007090485.tif 000002
【特許請求の範囲】
【請求項１】
圧粉成形体のバリを除去するためのバリ取り装置であって、
前記圧粉成形体を誘導する誘導路と、
前記誘導路を振動させて前記圧粉成形体を搬送する振動搬送手段と、を備え、
前記誘導路の底部は波状の研磨面を形成しており、前記誘導路の延びる方向と前記振動搬送手段が前記誘導路を振動させる方向とが交差する部分を有している、
ことを特徴とするバリ取り装置。
【請求項２】
前記誘導路の底部には前記バリを排出するためのバリ排出口が形成されていることを特徴とする請求項１に記載のバリ取り装置。
【発明の詳細な説明】
【技術分野】
【０００１】
本発明は、圧粉成形体のバリを除去するためのバリ取り装置に関する。
【背景技術】
【０００２】
粉体を圧縮して圧粉成形体を形成し、その圧粉成形体に更に所定の処理を施して製品とすることが一般的に行われている。この場合において圧粉成形体は、粉体を型に入れて圧縮成形することから、その周辺部分にバリが発生する。圧粉成形体にバリがついたままだと、その後の焼成処理における焼成不具合や外観不具合の原因となる。そこで、圧粉成形体のバリ取り装置が提案されている（例えば、下記特許文献１参照）。
【特許文献１】実開平７−４００６１号公報
【発明の開示】
【発明が解決しようとする課題】
【０００３】
ところで、上記特許文献１に記載のバリ取り装置で圧粉成形体のバリを取ろうとすると、場合によってはバリを除去しきれないことがある。特に、圧粉成形体がリング形状の場合に、その内周及び外周の双方にバリが形成されている場合には、そのバリ除去しきれない場合が多い。
【０００４】
そこで本発明では、リング状の圧粉成形体の内周及び外周に形成されているバリの除去率を向上させることが可能なバリ取り装置を提供することを目的とする。
【課題を解決するための手段】
【０００５】
本発明者らは、上記従来のバリ取り装置について、圧粉成形体のバリが除去しきれない場合について検討を行った。圧粉成形体の状態に着目すると、特に圧粉成形体が小さく軽い場合にバリを除去しきれない場合があることが判明した。上記従来のバリ取り装置は、上記特許文献の図２及び図３に示されているように、圧粉成形体のバリをブラシ部材とパンチングメタルとの組み合わせによって除去している。従って、圧粉成形体が小さく軽い場合には、ブラシ部材との接触の際にも、パンチングメタルとの接触の際にも、いずれの場合においても十分な接触力が得られないためにバリが残ってしまうのではないかと本発明者らは考えた。しかしながら、単に圧粉成形体とブラシやパンチングメタルとの接触力を増やせば、バリのみならず圧粉成形体そのものが削られてしまうことになり、新たな不具合が生じる可能性がある。
【０００６】
そこで本発明者らはこのような事情に鑑みて、リング状の圧粉成形体が小さく軽い場合であってもバリのみを的確に除去することが可能なバリ取り装置を提供することを目的とし、この新たな課題をも解決すべく本発明を成しえたものである。
【０００７】
本発明に係るバリ取り装置は、圧粉成形体のバリを除去するためのバリ取り装置であって、圧粉成形体を誘導する誘導路と、誘導路を振動させて圧粉成形体を搬送する振動搬送手段と、を備え、誘導路の底部は波状の研磨面を形成しており、誘導路の延びる方向と振動搬送手段が誘導路を振動させる方向とが交差する部分を有している、ことを特徴とする。
【０００８】
本発明によれば、誘導路の底部が波状の研磨面を形成しているので、その波状の谷間部分では圧粉成形体の外周に研磨面が的確に当接してバリを除去できる。また、圧粉成形体がリング状の場合にあっては、波状の波頭部分において圧粉成形体の内周に研磨面が的確に当接してバリを除去できる。さらに、誘導路をその伸びる方向と交差して振動させるので、圧粉成形体が誘導路の側壁に当接しながら搬送され、圧粉成形体を回転させながらバリを除去できる。
【０００９】
また本発明では、誘導路の底部にはバリを排出するためのバリ排出口が形成されていることも好ましい。圧粉成形体から除去したバリをバリ排出口から排出できるので、除去したバリの圧粉成形体への再付着を防止できる。
【発明の効果】
【００１０】
本発明によれば、誘導路の底部が波状の研磨面を有しているので、圧粉成形体の内周及び外周に形成されるバリを的確に除去できる。また、圧粉成形体は誘導路の側壁に当接して回転しながら搬送されるので、圧粉成形体の内周及び外周に形成されるバリを満遍なく除去できる。従って、リング状の圧粉成形体の内周及び外周に形成されているバリの除去率を向上させることが可能となる。
【発明を実施するための最良の形態】
【００１１】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１２】
本発明の実施形態であるバリ取り装置について図１を参照しながら説明する。図１は、バリ取り装置１の構成を示す図であって、（ａ）は平面図を、（ｂ）はバリ取り装置１の中央における断面図をそれぞれ示している。
【００１３】
バリ取り装置１は、パーツフィーダ１０（振動搬送手段）と、誘導路２０とを備えている。パーツフィーダ１０の円盤台１０１に誘導路２０が戴置固定されている。パーツフィーダ１０の円盤台１０１は、半時計回り方向に回転しながら上昇し、その後時計回り方向に回転しながら下降して元の位置に戻るように構成されている。この上昇及び下降は充分に高速な振動として行われる。従って、円盤台１０１上に置かれた物は、円盤台１０１の回転中心を中心として当該物が置かれた部分を通る円弧の接線方向かつ上方向に投げ出される。
【００１４】
誘導路２０は、円盤台１０１を外接円とする八角形状をなしている。誘導路２０は、八角形状を成している底部２０１と、その底部２０１の両側に形成されている側壁２０２とを有している。底部２０１は、圧粉成形体Ｗのバリを除去するための研磨面であって、ダイヤモンド電着、サンドブラストといった手法によってヤスリ状になっている。底部２０１には、適宜バリ排出口２０１ａが設けられており、圧粉成形体Ｗから除去されたバリを排出することが可能となっている。
【００１５】
パーツフィーダ１０の円盤台１０１は、上述したように往復回転運動を行うものである。また、円盤台１０１に戴置固定されている誘導路２０は八角形状を成しているので、誘導路２０の伸びる方向と振動搬送手段としてパーツフィーダ１０が誘導路を振動させる方向とが交差する部分を有している。
【００１６】
より具体的には、図１中のＡ部分においては、円盤台１０１の中心からこのＡ部分を通るように描いた円弧の接線方向に、圧粉成形体Ｗが投げ出される。従って、圧粉成形体ＷはこのＡ部分においては、誘導路２０の外側の側壁２０２に当接しながらＢ部分の方向へと搬送される。これにより、圧粉成形体Ｗには時計方向に自転する力が作用し、圧粉成形体Ｗは時計方向に自転しながら搬送される。
【００１７】
続いて圧粉成形体Ｗが誘導路２０を搬送されながら、図１中のＢ部分に差し掛かると、同様に円盤台１０１の中心からこのＢ部分を通るように描いた円弧の接線方向に、圧粉成形体Ｗが投げ出される。ところが、このＢ部分においては、円弧の接線方向と搬送方向とが略同一となるため、圧粉成形体Ｗは誘導路の側壁２０２には当接せず搬送される。従って、このＢ部分においては圧粉成形体Ｗは自転をせずに搬送される。
【００１８】
続いて圧粉成形体Ｗが誘導路２０を搬送されながら、図１中のＣ部分に差し掛かると、同様に円盤台１０１の中心からこのＣ部分を通るように描いた円弧の接線方向に、圧粉成形体Ｗが投げ出される。従って、圧粉成形体ＷはこのＣ部分においては、誘導路２０の内側の側壁２０２に当接しながら次の辺へと搬送される。これにより、圧粉成形体Ｗには反時計方向に自転する力が作用し、圧粉成形体Ｗは反時計方向に自転しながら搬送される。
【００１９】
上述したように、圧粉成形体Ｗは誘導路２０の各辺において、略中央部分で自転方向を変えて自転しながら搬送される。従って、圧粉成形体Ｗは周囲に生じているバリがむらなく除去されることとなる。
【００２０】
ここで、誘導路２０の延びる方向における底部２０１の形状を図２に示す。図２は、図１のＩ−Ｉ断面図である。誘導路２０の底部２０１は、図示するように波状を成しており、その表面は研磨面となっている。従って、圧粉成形体Ｗがリング状の場合にあっては、波状の波頭部分において圧粉成形体Ｗの内周に研磨面である底部２０１が的確に当接してバリを除去できる。また、谷間部分においては圧粉成形体Ｗの外周に底部２０１が的確に当接してバリを除去できる。
【００２１】
上述した実施形態では、振動搬送手段としてパーツフィーダを用いたけれども、リニアフィーダを用いることも好ましい。リニアフィーダを用いた例を図３に示す。図３に示すバリ取り装置２は、リニアフィーダ３０（振動搬送手段）と、誘導路３５とを備えている。
【００２２】
リニアフィーダ３０上に誘導路３５が戴置固定されている。リニアフィーダ３０は、図３の矢印Ｅ方向に移動しながら上昇し、その後逆方向に戻りながら下降して元の位置に戻るように構成されている。この上昇及び下降は充分に高速な振動として行われる。従って、リニアフィーダ３０上に置かれた物は、図３の矢印Ｆ方向かつ上方向に投げ出される。
【００２３】
誘導路３５は、直線状の誘導路であって、溝３５１を有している。溝３５１の底部は圧粉成形体Ｗのバリを除去するための研磨面であって、ダイヤモンド電着、サンドブラストといった手法によってヤスリ状になっている。溝３５１の底部は図２に示したのと同様に波状となっている。また、溝３５１の底部にはバリ排出口を設けてもよい。
【００２４】
リニアフィーダ３０の振動方向と、誘導路３５の伸びる方向とは交差している。従って、溝３５１に圧粉成形体Ｗを配置し、リニアフィーダ３０を振動させると圧粉成形体Ｗは溝３５１の延びる方向に自転しながら搬送される。
【００２５】
本実施形態によれば、誘導路２０（３５）の底部２０１が波状の研磨面を形成しているので、その波状の谷間部分では圧粉成形体Ｗの外周に研磨面が的確に当接してバリを除去できる。また、圧粉成形体Ｗがリング状の場合にあっては、波状の波頭部分において圧粉成形体Ｗの内周に研磨面が的確に当接してバリを除去できる。さらに、誘導路２０（３５）をその伸びる方向と交差して振動させるので、圧粉成形体Ｗが誘導路２０（３５）の側壁に当接しながら搬送され、圧粉成形体Ｗを回転させながらバリを除去できる。
【図面の簡単な説明】
【００２６】
【図１】本発明の実施形態であるバリ取り装置の構成を示す図である。
【図２】図１のＩ−Ｉ断面を示す図である。
【図３】図１の変形例を示す図である。
【符号の説明】
【００２７】
１…バリ取り装置、１０…パーツフィーダ、２０…誘導路、１０１…円盤台、２０１…底部、２０２…側壁。
【図１】
2007090485.tif 000003
【図２】
2007090485.tif 000004
【図３】
2007090485.tif 000005